【手続補正書】
【提出日】平成20年10月31日(2008.10.31)
【手続補正１】
【補正対象書類名】特許請求の範囲
【補正対象項目名】全文
【補正方法】変更
【補正の内容】
【特許請求の範囲】
【請求項１】
シーケンス中の複数のメディアオブジェクトとともに使用する特殊効果を生成するソフトウェアプログラムであって、前記ソフトウェアプログラムはプロセッサを
特殊効果の可変のアスペクトの少なくとも１つに影響を与えるパラメータを有する特殊効果を指定する特殊効果コンポーネントと、
前記シーケンス内での前記メディアオブジェクトに対する前記指定された特殊効果の位置を識別するインディケータコンポーネントと、
前記シーケンスにおける前記指定された特殊効果の位置に応じて前記特殊効果のパラメータを変更することにより、前記指定された特殊効果を変更するシーケンスジェネレータと、
前記メディアオブジェクトが順次表示されるときに、前記識別された位置で、前記指定された特殊効果の変更されたパラメータに従って前記指定された特殊効果をレンダリングするレンダリングコンポーネントと
として機能させることを特徴とするソフトウェアプログラム。
【請求項２】
前記シーケンスジェネレータは、前記メディアオブジェクトに対する前記シーケンス内での前記指定された特殊効果の位置、他の特殊効果に対する前記シーケンス内での前記指定された特殊効果の位置、前記シーケンス内で両側にある前記メディアオブジェクトの内容、および前記メディアオブジェクトの内容の１つまたは複数に応じて前記特殊効果のパラメータを変更することにより前記指定された特殊効果を変更することを特徴とする請求項１に記載のソフトウェアプログラム。
【請求項３】
前記特殊効果は、前記複数のメディアオブジェクトの２つの間に適用されるトランジション、前記複数のメディアオブジェクトの１つに適用されるエフェクト、前記複数のメディアオブジェクトの１つとして生成されるタイトル、および前記メディアオブジェクトの１つまたは複数に適用されるタイトルのタイプの特殊効果の少なくとも１つを含むことを特徴とする請求項２に記載のソフトウェアプログラム。
【請求項４】
前記パラメータは、ファミリーローカル通し番号、ファミリーグローバル通し番号、個別ローカル通し番号、個別グローバル通し番号、ファミリーローカル総数、ファミリーグローバル総数、個別ローカル総数、個別グローバル総数、動きのプロパティ、画像色のプロパティ、メディアオブジェクトの継続時間、メディアオブジェクトのカメラ設定、およびメディアオブジェクトのＧＰＳ情報の少なくとも１つを含むことを特徴とする請求項１に記載のソフトウェアプログラム。
【請求項５】
前記動きのプロパティは、ｘ軸のカメラ速度、ｙ軸のカメラ速度、ｚ軸のカメラ速度、ｘ軸の被写体速度、ｙ軸の被写体速度、ｚ軸の被写体速度、カメラの安定度、およびカメラのズーム速度の少なくとも１つを含むことを特徴とする請求項４に記載のソフトウェアプログラム。
【請求項６】
前記画像色のプロパティは、メディアオブジェクトの中で支配的な色、メディアオブジェクト中の他の色の周波数、およびメディアオブジェクトの色ヒストグラムの少なくとも１つを含むことを特徴とする請求項４に記載のソフトウェアプログラム。
【請求項７】
前記特殊効果は、複数の特殊効果による特定のファミリーおよび特定のタイプの特殊効果のいずれかの一部であることを特徴とする請求項２に記載のソフトウェアプログラム。
【請求項８】
シーケンス中の複数のメディアオブジェクトとともに使用する特殊効果を生成する方法であって、
プロセッサが、特殊効果の可変のアスペクトの少なくとも１つに影響を与えるパラメータを有する特殊効果を指定するステップと、
プロセッサが、前記シーケンス内での前記メディアオブジェクトに対する前記指定された特殊効果の位置を識別するステップと、
プロセッサが、前記シーケンスにおける前記指定された特殊効果の位置に応じて前記特殊効果のパラメータを変更することにより、前記指定された特殊効果を変更するステップと、
プロセッサが、前記メディアオブジェクトが順次表示されるときに、前記識別された位置で、前記指定された特殊効果の変更されたパラメータに従って前記指定された特殊効果をレンダリングするステップと
を含むことを特徴とする方法。
【請求項９】
プロセッサが、前記メディアオブジェクトに対する前記シーケンス内での前記指定された特殊効果の位置、他の特殊効果に対する前記シーケンス内での前記指定された特殊効果の位置、前記シーケンス内で両側にある前記メディアオブジェクトの内容、および前記メディアオブジェクトの内容の１つまたは複数に応じて特殊効果のパラメータを変更することにより、前記指定された特殊効果を変更するステップを含むことを特徴とする請求項８に記載の方法。
【請求項１０】
前記特殊効果は、前記複数のメディアオブジェクトの２つの間に適用されるトランジション、１つのメディアオブジェクトに適用されるエフェクト、メディアオブジェクトとして生成されるタイトル、および、１つまたは複数のメディアオブジェクトに適用されるタイトルのタイプの少なくとも１つを含むことを特徴とする請求項９に記載の方法。
【請求項１１】
前記複数のメディアオブジェクトは、ビデオクリップ、写真、および画像の少なくとも１種を複数含むことを特徴とする請求項９に記載の方法。
【請求項１２】
前記パラメータは、ファミリーローカル通し番号、ファミリーグローバル通し番号、個別ローカル通し番号、個別グローバル通し番号、ファミリーローカル総数、ファミリーグローバル総数、個別ローカル総数、個別グローバル総数、メディアオブジェクトの継続時間、メディアオブジェクトのカメラ設定、メディアオブジェクトのＧＰＳ情報、ｘ軸のカメラ速度、ｙ軸のカメラ速度、ｚ軸のカメラ速度、ｘ軸の被写体速度、ｙ軸の被写体速度、ｚ軸の被写体速度、カメラの安定度、カメラのズーム速度、メディアオブジェクトの中で支配的な色、メディアオブジェクト中の他の色の周波数、および、メディアオブジェクトの色ヒストグラムの少なくとも１つを含むことを特徴とする請求項９に記載の方法。
【請求項１３】
シーケンス中の複数のメディアオブジェクトとともに使用する特殊効果を生成するソフトウェアプログラムであって、前記ソフトウェアプログラムはプロセッサを
特殊効果の可変のアスペクトの少なくとも１つに影響を与えるパラメータを有する特殊効果を指定する特殊効果コンポーネントと、
前記シーケンス内での前記メディアオブジェクトに対する前記指定された特殊効果の位置を識別するインディケータコンポーネントと、
前記シーケンス中の前記複数のメディアオブジェクトの内容に応じて前記特殊効果のパラメータを変更することにより、前記指定された特殊効果を変更するシーケンスジェネレータと、
前記メディアオブジェクトが順次表示されるときに、前記識別された位置で、前記指定された特殊効果の変更されたパラメータに従って前記指定された特殊効果をレンダリングするレンダリングコンポーネントと
として機能させることを特徴とするソフトウェアプログラム。
【請求項１４】
前記シーケンスジェネレータは、前記シーケンス中で両側にある前記メディアオブジェクトの内容、および前記メディアオブジェクトの内容の１つまたは複数に応じて特殊効果のパラメータを変更することにより、前記特殊効果を変更することを特徴とする請求項１３に記載のソフトウェアプログラム。
【請求項１５】
前記複数のメディアオブジェクトそれぞれの内容に関連するパラメータは、メディアオブジェクトの継続時間、メディアオブジェクトのカメラ設定、メディアオブジェクトのＧＰＳ情報、ｘ軸のカメラ速度、ｙ軸のカメラ速度、ｚ軸のカメラ速度、ｘ軸の被写体速度、ｙ軸の被写体速度、ｚ軸の被写体速度、カメラの安定度、カメラのズーム速度、メディアオブジェクトの中で支配的な色、メディアオブジェクト中の他の色の周波数、およびメディアオブジェクトの色ヒストグラムの１つまたは複数を含むことを特徴とする請求項１４に記載のソフトウェアプログラム。
【請求項１６】
前記特殊効果は、前記複数のメディアオブジェクトの２つの間に適用されるトランジション、１つのメディアオブジェクトに適用されるエフェクト、メディアオブジェクトとして生成されるタイトル、および１つまたは複数のメディアオブジェクトに適用されるタイトルのタイプの少なくとも１つを備えることを特徴とする請求項１４に記載のソフトウェアプログラム。
【請求項１７】
前記複数のメディアオブジェクトは、ビデオクリップ、写真、および画像の少なくとも１種を複数備えることを特徴とする請求項１４に記載のソフトウェアプログラム。
【請求項１８】
前記特殊効果は、複数の特殊効果による特定のファミリーまたは複数の特殊効果の特定のタイプの１つの一部であることを特徴とする請求項１４に記載のソフトウェアプログラム。
【請求項１９】
前記シーケンスジェネレータは、前記メディアオブジェクトに対する前記シーケンス内での前記指定された特殊効果の位置、および他の特殊効果に対する前記シーケンス内での前記指定された特殊効果の位置の１つに応じてパラメータを変更することにより、前記指定された特殊効果をさらに変更することを特徴とする請求項１３に記載のソフトウェアプログラム。
【請求項２０】
前記複数のメディアオブジェクトの位置に関連するパラメータは、ファミリーローカル通し番号、ファミリーグローバル通し番号、個別ローカル通し番号、個別グローバル通し番号、ファミリーローカル総数、ファミリーグローバル総数、個別ローカル総数、個別グローバル総数の１つまたは複数を含むことを特徴とする請求項１９に記載のソフトウェアプログラム。